(57)【要約】  本発明は、閉鎖具とそれを有する容器であって、内容物を密閉して大気圧と等しいか大気圧を上回るかまたは下回る圧力で維持するように、閉鎖具を、上下操作を通して開閉することができる、閉鎖具およびそれを有する容器に関する。本発明の閉鎖具は、気密性を確実にするために容器の開口部２１０を包囲する封止ユニット１１０と、封止ユニット１１０の内方にかつ封止ユニット１１０の下端に沿って蝶番式に連結され、容器の係止フランジ２１１によって固定して捕捉されることが可能な、複数の係止突起１２１を有する、係止ユニット１２０と、係止ユニット１２０の外周面を包囲する垂直に移動可能な環状本体１３１を有し、本体１３１の内周面から突出するようにかつ係止ユニット１２０の下方に配置されるように形成されるプッシュ突起１３２と、係止ユニット１２０の外周面を支持するようにプッシュ突起１３２の上方の位置で突出するように形成される支持突起１３４と、を含む、カバーユニット１３０と、を備える。  本発明によれば、閉鎖具は優れた気密性を有し、また、便利に使用することができる。さらに、容器の閉鎖具を最初に開放した後、閉鎖具の開放を認識することが可能である。
2009541157.tif 000002
【特許請求の範囲】
【請求項１】
気密性を確実にするために容器の開口部を包囲する封止ユニットと、
前記封止ユニットの内方にかつ前記封止ユニットの下端に沿って蝶番式に連結され、前記容器の係止フランジによって固定して捕捉されることが可能な、複数の係止突起を有する、係止ユニットと、
前記係止ユニットの外周面を包囲する垂直に移動可能な環状本体を有するカバーユニットであって、前記本体の内周面から突出するようにかつ前記係止ユニットの下方に配置されるように形成されるプッシュ突起と、前記係止ユニットの前記外周面を支持するように前記プッシュ突起の上方の位置で突出するように形成される支持突起と、を含む、カバーユニットと、
を具備する、閉鎖具。
【請求項２】
気密性を確実にするために容器の開口部を包囲する封止ユニットと、
係止ユニットであって、前記封止ユニットの内方にかつ前記封止ユニットの下端に沿って蝶番式に連結され、前記容器の係止フランジによって固定して捕捉されることが可能な、複数の係止突起と、前記係止ユニットの前記係止突起と反対側の外周面において突出するように形成される複数のレバー突起と、を有する、係止ユニットと、
前記係止ユニットの前記外周面を包囲する垂直に移動可能な環状本体を有するカバーユニットであって、前記本体の内周面から突出するようにかつ前記レバー突起の下方に配置されるように形成されるプッシュ突起を含む、カバーユニットと、
を具備する、閉鎖具。
【請求項３】
前記カバーユニットに、前記係止ユニットの前記外周面を支持するように、前記プッシュ突起の上方の前記カバーユニットの前記本体の前記内周面から突出するように形成される支持突起がさらに設けられる、請求項２に記載の閉鎖具。
【請求項４】
前記カバーユニットに、前記カバーユニットの外周面から外側に突出する保持隆起部がさらに設けられる、請求項１または２に記載の閉鎖具。
【請求項５】
前記カバーユニットに、前記封止ユニットと前記カバーユニットとの間に所定範囲を超える相対位置変化が発生した場合に破断するように形成される帯部がさらに設けられる、請求項１または２に記載の閉鎖具。
【請求項６】
前記カバーユニットの上部が放射状に切除されており、その内側前端が前記封止ユニットの上面に向けられている、請求項１または２に記載の閉鎖具。
【請求項７】
容器であって、
前記容器の開口部の外周面から突出する係止フランジを有する容器本体と、
気密性を確実にするために前記開口部を包囲しながら前記開口部の周囲に嵌合する閉鎖具と、
を具備し、前記閉鎖具が、
気密性を確実にするために前記容器の前記開口部を包囲する封止ユニットと、
前記封止ユニットの内方にかつ前記封止ユニットの下端に沿って蝶番式に連結され、前記容器の係止フランジによって固定して捕捉されることが可能な、複数の係止突起を有する、係止ユニットと、
前記係止ユニットの外周面を包囲する垂直に移動可能な環状本体を有するカバーユニットであって、前記本体の内周面から突出するようにかつ前記係止ユニットの下方に配置されるように形成されるプッシュ突起と、前記係止ユニットの前記外周面を支持するように前記プッシュ突起の上方の位置で突出するように形成される支持突起と、を含む、カバーユニットと、
を備える、容器。
【請求項８】
容器であって、
前記容器の開口部の外周面から突出する係止フランジを有する容器本体と、
気密性を確実にするために前記開口部を包囲しながら前記開口部の周囲に嵌合する閉鎖具と、
を具備し、前記閉鎖具が、
気密性を確実にするために前記容器の前記開口部を包囲する封止ユニットと、
係止ユニットであって、前記封止ユニットの内方にかつ前記封止ユニットの下端に沿って蝶番式に連結され、前記容器の係止フランジによって固定して捕捉されることが可能な、複数の係止突起と、前記係止ユニットの前記係止突起と反対側の外周面において突出するように形成される複数のレバー突起と、を有する、係止ユニットと、
前記係止ユニットの前記外周面を包囲する垂直に移動可能な環状本体を有するカバーユニットであって、前記本体の内周面から突出するようにかつ前記レバー突起の下方に配置されるように形成されるプッシュ突起を含む、カバーユニットと、
を備える、容器。
【請求項９】
前記容器本体の前記開口部の内周面が円筒形状を有し、前記内周面の上端に、前記開口部の内径を増大させるように屈曲縁を介して傾斜面が連結され、
前記閉鎖具の前記封止ユニットの下面に、前記内周面に密接に接触しかつ固定されるように、環状形状で突出し、かつ前記容器本体の前記開口部の前記内周面の前記屈曲縁の下方に延在する、封止リブがさらに設けられる、請求項７または８に記載の容器。
【発明の詳細な説明】
【技術分野】
【０００１】
本発明は、閉鎖具およびそれを有する容器に関し、特に、閉鎖具およびそれを有する容器であって、内容物を密閉して大気圧と等しいか大気圧を上回るかまたは下回る圧力で維持するように、閉鎖具を、上下操作を通して開閉することができる、閉鎖具およびそれを有する容器に関する。
【背景技術】
【０００２】
飲料、粉末または他の内容物を貯蔵する容器には、一般に閉鎖具が設けられており、それは、貯蔵する容器または貯蔵される内容物の用途に応じて、種々の機能を有する必要がある。
【０００３】
たとえば、炭酸飲料容器の内圧は、大気圧に等しいかまたはそれより高い圧力で維持されるべきであるため、容器の配送中に閉鎖具の気密性を維持することが重要である。
【０００４】
容量の大きい容器の場合、容器の内容物が使用された後に、内容物の残りを劣化させることなく貯蔵することができることができるように、閉鎖具を、開放した後に都合よく密閉して再閉鎖されるように構成することが好ましい。たとえば、コルク閉鎖具には、優れた気密性があるが、開放が容易でないという問題がある。
【０００５】
さらに、従来の飲料容器で広く使用されてきたねじぶたの場合、ねじぶたは、回転させなければならないため、使用が面倒である。特に、子供は、ねじぶたを回転させて開閉することに慣れていないため、そうした子供がねじぶたを使用することは非常に不便である。
【０００６】
特に、ねじぶたは、内容物が漏出しないようにするためには強固に締結されなければならない。しかしながら、この場合、ねじぶたを再開放することが困難である。一方、ねじぶたを容易に開放することができる程度にまでしか閉鎖しない場合、容器の内容物が漏出する可能性がある。
【０００７】
上記の問題を解決するために、本発明者は、下記特許文献１（２００６年４月２４日発行）および下記特許文献２（２００５年５月２１発行）において、便利に使用可能な閉鎖具構造を提案した。これらの閉鎖具は、ワンタッチで開閉されるため、ねじぶたと比較してより便利に使用することができるという利点がある。
【先行技術文献】
【特許文献】
【０００８】
【特許文献１】韓国特許第１０−５７５２５９号明細書
【特許文献２】韓国実用新案登録第２０−３８５４９７号公報
【発明の概要】
【発明が解決しようとする課題】
【０００９】
本発明は、従来の閉鎖具の構造を改善するということである。したがって、本発明の目的は、内容物が所定圧力下にある容器内に貯蔵されていても、十分に内容物を封止ことができる気密性を有し、便利に使用することができ、かつ、最初の開放後に、他の使用者が閉鎖具の開放を容易に認識することができるように構成される、閉鎖具及びその閉鎖具を有する容器を提供することである。
【課題を解決するための手段】
【００１０】
その目的を達成する本発明の一態様によれば、気密性を確実にするために容器の開口部を包囲する封止ユニットと、封止ユニットの内方にかつ封止ユニットの下端に沿って蝶番式に連結され、容器の係止フランジによって固定して捕捉されることが可能な、複数の係止突起を有する、係止ユニットと、係止ユニットの外周面を包囲する垂直に移動可能な環状本体を有し、本体の内周面から突出するようにかつ係止ユニットの下方に配置されるように形成されるプッシュ突起と、係止ユニットの外周面を支持するようにプッシュ突起の上方の位置で突出するように形成される支持突起と、を含む、カバーユニットと、を備える閉鎖具を提供する。
【００１１】
本発明の別の態様によれば、気密性を確実にするために容器の開口部を包囲する封止ユニットと、係止ユニットであって、封止ユニットの内方にかつ封止ユニットの下端に沿って蝶番式に連結され、容器の係止フランジによって固定して捕捉されることが可能な、複数の係止突起と、係止ユニットの係止突起と反対側の外周面において突出するように形成される複数のレバー突起と、を有する、係止ユニットと、係止ユニットの外周面を包囲する垂直に移動可能な環状本体を有し、本体の内周面から突出するようにかつレバー突起の下方に配置されるように形成されるプッシュ突起を含む、カバーユニットと、を備える閉鎖具を提供する。
【００１２】
本発明のさらなる態様によれば、容器であって、容器の開口部の外周面から突出する係止フランジを有する容器本体と、気密性を確実にするために開口部を包囲しながら開口部の周囲に嵌合する閉鎖具と、を備え、閉鎖具が、気密性を確実にするために容器の開口部を包囲する封止ユニットと、封止ユニットの内方にかつ封止ユニットの下端に沿って蝶番式に連結され、容器の係止フランジによって固定して捕捉されることが可能な、複数の係止突起を有する、係止ユニットと、係止ユニットの外周面を包囲する垂直に移動可能な環状本体を有し、本体の内周面から突出するようにかつ係止ユニットの下方に配置されるように形成されるプッシュ突起と、係止ユニットの外周面を支持するようにプッシュ突起の上方の位置で突出するように形成される支持突起と、を含む、カバーユニットと、を備える、容器を提供する。
【００１３】
本発明のさらなる態様によれば、容器であって、容器の開口部の外周面から突出する係止フランジを有する容器本体と、気密性を確実にするために開口部を包囲しながら開口部の周囲に嵌合する閉鎖具と、を備え、閉鎖具が、気密性を確実にするために容器の開口部を包囲する封止ユニットと、係止ユニットであって、封止ユニットの内方にかつ封止ユニットの下端に沿って蝶番式に連結され、容器の係止フランジによって固定して捕捉されることが可能な、複数の係止突起と、係止ユニットの係止突起と反対側の外周面において突出するように形成される複数のレバー突起と、を有する、係止ユニットと、係止ユニットの外周面を包囲する垂直に移動可能な環状本体を有し、本体の内周面から突出するようにかつレバー突起の下方に配置されるように形成されるプッシュ突起を含む、カバーユニットと、を備える、容器を提供する。
【発明の効果】
【００１４】
本発明によれば、閉鎖具は、優れた気密性を有し、また便利に使用することができる。さらに、容器の閉鎖具を最初に開放した後、閉鎖具の開放を認識することが可能である。
【図面の簡単な説明】
【００１５】
【図１】本発明の好ましい実施形態による閉鎖具を示す部分切欠斜視図である。
【図２】本発明による閉鎖具を示す断面図である。
【図３】本発明による閉鎖具の封止ユニットの変形例を示す図である。
【図４】本発明による閉鎖具の封止ユニットおよび係止ユニットの両方のみを示す図である。
【図５】本発明による閉鎖具のカバーユニットのみを示す図である。
【図６】本発明による閉鎖具を示す組立分解斜視図である。
【図７】本発明の別の実施形態による閉鎖具を示す図である。
【図８】本発明の別の実施形態による閉鎖具を示す図である。
【図９】本発明のさらなる実施形態による閉鎖具を示す図である。
【図１０】本発明のさらなる実施形態による閉鎖具を示す図である。
【発明を実施するための形態】
【００１６】
以下、本発明の実施形態について、添付図面に関連して詳細に説明する。
【００１７】
図１および図２を参照すると、容器は、上部に開口部２１０が設けられた容器本体２００を有する。環状の係止フランジ（ロックフランジ）２１１が、開口部２１０の外周面から突出するように形成されている。係止フランジ２１１の下面は、開口部２１０の外周面に対して垂直であり、係止フランジ２１１の上面は、滑らかに湾曲した面を有する。
【００１８】
閉鎖具は、封止ユニット１１０、係止ユニット（ロックユニット）１２０およびカバーユニット１３０を有する。
【００１９】
封止ユニット１１０は、円形頂部１１１と容器の開口部２１０内に挿入されるスカート１１２とを含む。
【００２０】
開口部２１０と密接に接触する封止リブ１１３を、封止ユニット１１０の頂部１１１の下面から突出するように形成してもよい。閉鎖具が閉鎖されると、封止リブ１１３は容器の開口部２１０と密接に接触し、その後、閉鎖具の気密性を向上させるように弾力的に変形する。
【００２１】
封止ユニット１１０の下端には、閉鎖具を容器に固定する係止ユニット１２０が設けられている。
【００２２】
特に、係止ユニット１２０は、容器の係止フランジ２１１によって固定して捕捉される係止突起１２１と、係止突起１２１の固定状態を解放するレバー突起１２２と、を有する。
【００２３】
係止突起１２１は、封止ユニット１１０の内方にかつ封止ユニット１１０の下端に沿って蝶番式に連結されている。したがって、閉鎖具が容器の開口部内に挿入されると、係止突起１２１は容器の係止フランジ２１１によって捕捉され、それによって閉鎖具を容器に固定することができる。
【００２４】
係止ユニット１２０の係止突起１２１とは反対側の外周面に、複数のレバー突起１２２が形成されている。
【００２５】
すなわち、係止ユニット１２０の内側には係止突起１２１が設けられており、外側にはレバー突起１２２が設けられている。したがって、係止ユニット１２０の外側に形成されているレバー突起１２２が押されると、係止ユニット１２０の内側に形成されている係止突起１２１が、ヒンジ部１２１ａに対して外側に移動し、それによって係止突起１２１が係止フランジ２１１から解放され、それにより閉鎖具が開放する。
【００２６】
レバー突起１２２の動作は、実質的に、後述するカバーユニット１３０を操作することによって達成される。
【００２７】
一方、封止ユニット１１０および係止ユニット１２０を、射出成形によって樹脂から互いに一体として形成してもよい。しかしながら、封止ユニット１１０および係止ユニット１２０を別々に製造し、後に組み立ててもよい。
【００２８】
カバーユニット１３０は、環状の本体１３１を有し、本体１３１の内周面から突出しレバー突起１２２の下方に配置されるように形成されているプッシュ突起１３２を含む。
【００２９】
カバーユニット１３０は、カバーユニット１３０が上方におよび下方に移動させることができるように、係止ユニット１２０の外周面上に配置される。一方、カバーユニット１３０が係止ユニット１２０に対して上方に移動すると、カバーユニット１３０のプッシュ突起１３２はレバー突起１２２を上方に押す。したがって、レバー突起１２２が枢動し、係止ユニット１２０の内側に形成された係止突起１２１が係止フランジ２１１から解放され、それにより閉鎖具が開放する。
【００３０】
一方、図３は、本発明による閉鎖具の封止ユニットの変形例を示す図である。封止ユニット１１０の外周面に付加的なレバー突起がないが、カバーユニット１３０によって封止ユニット１１０を同様に動作させることができる。
【００３１】
すなわち、プッシュ突起１３２は、係止ユニット１２０の下端の下方に配置されるようにカバーユニット１３０の下端に形成されているため、カバーユニット１３０が上方に移動すると、係止ユニット１２０の下端を上方に押し、それにより、係止ユニット１２０の係止突起１２１が係止フランジ２１１から解放されて、閉鎖具が開放する。なお、封止ユニット１１０の外周面には付加的なレバー突起はない。
【００３２】
参照符号１３４は、カバーユニット１３０の内周面から突出し、かつ係止ユニット１２０の外周面を支持するように、プッシュ突起１３２の上端の上方に形成されている、支持突起を示す。支持突起１３４は、閉鎖具が閉鎖されている時に、係止突起１２１が容器の内圧により外側に移動しないようにする。一方、支持突起１３４は、閉鎖具が開放する時は上方に移動するため、係止突起１２１の外側への移動を干渉しない。
【００３３】
図３に示す実施形態は、動作に関して図１および図２に示すものと実質的に同じであるが、以下の点のみが互いに異なる。すなわち、カバーユニットのプッシュ突起は、封止ユニットの外周面にレバー突起が形成されているか否かに応じて、閉鎖具を開放するために、係止ユニットの下端を直接押すか、または係止ユニットの係止突起を押す。
【００３４】
再び図１および図２を参照すると、本発明においてカバーユニット１３０の外周面から外側に突出するように保持隆起部１３３が形成されていることが好ましく、それにより、閉鎖具を、その開放時に便利に使用することができる。
【００３５】
たとえば、親指を使用して封止ユニット１１０の上部を押下し、親指以外の残りの指を使用してカバーユニット１３０の環状に突出している保持隆起部１３３を把持すると、閉鎖具は上述した動作に従って開放する。したがって、閉鎖具を１つの手で容易に開放することができる。
【００３６】
一方、使用者が、カバーユニット１３０を把持して封止ユニット１１０を押下することにより閉鎖具を開放する過程において、封止ユニット１１０を過度に押下すると、カバーユニット１３０が封止ユニット１１０から分離する可能性がある。この偶発的な分離を防止するために、閉鎖具に、閉鎖具の開放時に封止ユニット１１０とカバーユニット１３０との間の最大動作範囲を制限する手段をさらに設けることが好ましい。
【００３７】
たとえば、図４および図５を参照すると、封止ユニット１１０のスカート１１２の外周面から突出するように第１ストッパ１１５が形成されており、カバーユニット１３０の内周面から突出するように第２ストッパ１３６が形成されている。
【００３８】
したがって、封止ユニット１１０の第１ストッパ１１５およびカバーユニット１３０の第２ストッパ１３６は、使用者が閉鎖具の開放の過程において封止ユニット１１０を過度に押下した場合に最大動作範囲からのずれが発生する前に、互いに係合し、それにより、カバーユニット１３０の封止ユニット１１０からの分離が防止される。
【００３９】
別の例として、封止ユニットおよびカバーユニットに、夫々ストッパ突起および溝を設けてもよく、それにより、カバーユニットを、その動作中に封止ユニットから分離することができなくなる。
【００４０】
すなわち、カバーユニットに溝が設けられ、封止ユニットに、その溝に挿入されるストッパ突起が設けられる。封止ユニットが操作されると、ストッパ突起は溝に沿って移動する。閉鎖具の開放時の封止ユニットの最大動作範囲を、ストッパ突起が案内される溝の長さに従って確定してもよい。
【００４１】
本発明は、支持突起１３４が、係止ユニット１２０の外周面を支持するように、プッシュ突起１３２の上方の位置においてカバーユニット１３０の本体１３１の内周面から突出するように形成されている、という特徴を有することが好ましい。
【００４２】
支持突起１３４により、係止ユニット１２０の係止突起１２１は、それが容器の係止フランジ２１１によって捕捉された状態では外側に移動しない。したがって、容器の内容物は、閉鎖具が閉鎖されている状態では漏出が防止され、それにより、閉鎖具の気密性が向上する。
【００４３】
次に、本発明は、カバーユニットに、封止ユニットとカバーユニットとの間に所定範囲を超える相対位置変化が発生すると破断されるように形成される、帯部がさらに設けられている、という特徴を有する。封止ユニットの帯部は、閉鎖具が最初に開放される時に破断され、それにより、使用者は、帯部の破断を調べることにより閉鎖具が開放されたことを認識することができる。
【００４４】
本発明の帯部を、種々の手段で提供してもよい。すなわち、本発明の閉鎖具が開放されると、カバーユニットと封止ユニット（または係止ユニット）との間に相対位置変化が起こる。したがって、閉鎖具の開放時に、カバーユニットと封止ユニット（または係止ユニット）との間で発生する位置変化によって破断される帯部を設けることが可能である。
【００４５】
特に、図１を参照すると、封止ユニット１１０の縁に、下方に向けられた先端１１４が形成されており、先端１１４に対応するカバーユニット１３０の位置に、適当な厚さの帯部１３５が形成されている。帯部１３５は、閉鎖具が最初に使用される時に先端１１４によって破断される。したがって、使用者は、帯が破断されているか否かを調べることにより、容器がすでに開放され使用されているか否かを認識することができる。
【００４６】
図６は、本発明による閉鎖具を示す組立分解斜視図であり、それはまた、部品が実質的に別々に製造される閉鎖具の組立工程も示す。
【００４７】
封止ユニット１１０および係止ユニット１２０を、上述したように射出成形によって一体として形成してもよく、または別々に製造した後に組み立ててもよい。一方、本実施形態では、封止ユニット１１０および係止ユニット１２０を、射出成形により一体として形成されているものとして説明する。
【００４８】
まず、封止ユニット１１０および係止ユニット１２０を一体に射出成形する。カバーユニット１３０もまた別のさらなる工程を通して射出成形し、後にカバーユニット１３０を係止ユニット１２０の周囲に嵌合させることによって係止ユニットと組み立てる。
【００４９】
こうするために、カバーユニット１３０および係止ユニット１２０を、図６に示すように、夫々上部位置および下部位置に配置し、カバーユニット１３０を係止ユニット１２０の周囲に嵌合させることによって組み立てる。この時点で、先端１１４は、下方に突出するため、先端の滑らかに湾曲した部分が帯部１３５を押す間に差し込まれ、それにより、帯部１３５は組立工程において破断されない。
【００５０】
しかしながら、閉鎖具が使用される時、使用者がカバーユニット１３０を把持して封止ユニット１１０を押下するため、かかる工程により、先端１１４は帯部１３５の穴内に挿入され、それによって帯部１３５は破断し、封止ユニット１１０は下方に移動する。
【００５１】
すなわち、閉鎖具が最初に開放されると、封止ユニット１１０が下方に移動している間に帯部１３５が破断される。すなわち、使用者は、帯部が破断しているか否かを調べることにより、容器がすでに開放されているか否かを確認することができる。
【００５２】
次に、図７および図８は、本発明の別の実施形態による閉鎖具を示す図である。図７は閉鎖具の閉鎖状態を示し、図８は閉鎖具の開放状態を示す。
【００５３】
図７および図８を参照すると、本発明の他の実施形態による閉鎖具は、カバーユニット１４０の上部が放射状に切除されており、その内側前端が封止ユニットの上面に向けられている、という特徴を有する。
【００５４】
本実施形態の封止ユニットおよび係止ユニットは、上述した先の実施形態のものと同じであるため、それらのカバーユニット間の相違について主に後述する。同様の参照符号を使用して、封止ユニットおよび係止ユニットを示す。
【００５５】
カバーユニット１４０は、係止ユニット１２０の外周面を包囲し、かつ上方および下方に移動することができる、環状本体１４１と、係止ユニット１２０の下端または係止ユニット１２０のレバー突起を押すように本体１４１の下端に形成されているプッシュ突起１４２と、を有し、それらは先の実施形態のものと同じである。
【００５６】
一方、カバーユニット１４０の上部は、封止ユニット１１０の頂部１１１より高い面にあるように、かつ放射状に切除されている上縁を有するように、設計されている。さらに、カバーユニット１４０の上部の内部前端は、封止ユニットの頂部１１１に向けられるように傾斜している。
【００５７】
さらに、カバーユニット１４０の上部に、外側に突出する保持隆起部１４３が設けられていてもよい。
【００５８】
使用者が、閉鎖具を開放するように、カバーユニット１４０を横方向内側の方向に押すと、カバーユニット１４０の上部の内部前端が内方に回転し、封止ユニット１１０の頂部１１１を押下し、それによってカバーユニット１４０が上方に移動する。したがって、図８に示すように、カバーユニット１４０が上方に移動すると、カバーユニット１４０の下端に設けられているプッシュ突起１４２が係止ユニット１２０を上方に押して閉鎖具を開放する。
【００５９】
一方、図８はまた、閉鎖具の初期開放が行われたか否かを認識するために使用することができる帯部の別の実施形態を示し、そこでは、係止突起１２１が、閉鎖具を開放するために上方に移動しており、このときカバーユニット１４０の下端に形成されている一定厚さの円形帯部１４４が破断している。したがって、使用者は、カバーユニット１４０の下端に形成されている円形帯部１４４が破断されているか否かを調べることにより、閉鎖具がすでに開放されているか否かを認識することができる。
【００６０】
次に、本発明による容器は、容器本体の開口部の内周面が円柱形状であり、内周面の上端に、開口部の内径を増大させるために屈曲縁を介して傾斜面が連結されており、容器の閉鎖具の封止ユニットの下面に、内周面と密接に接触しそれに固定されるように、環状形状で突出し容器本体の開口部の内周面の屈曲縁の下方に延在するように形成される封止リブがさらに設けられている、という特徴を有する。
【００６１】
したがって、上述したように、閉鎖具の気密性を向上させるために封止リブが設けられており、容器の内圧が所定圧力と等しいかまたはそれより高くなると、封止リブにより容器内の気体が、必要な場合は自然に排出されることが可能であり、それにより、容器の圧力が所定圧力を超えて上昇しないようにすることができる。
【００６２】
特に、図９および図１０を参照すると、図９は、容器内に圧力がかかる前の状態を示し、図１０は、容器内に過度な圧力がかかっている別の状態を示す。
【００６３】
図９を参照すると、容器本体３００の開口部３１０の内周面は略円柱形状であり、内周面の上端には、所定角θで傾斜面３１２が設けられており、それが屈曲縁を介して内周面の上部に連結されることにより、開口部の内径が増大する。
【００６４】
容器本体３００の開口部３１０の内周面に形成されている傾斜面は、湾曲面であってもよい。
【００６５】
一方、閉鎖具４００の封止ユニット４１０の下面から突出するように、環状封止リブ４２０が形成されている。
【００６６】
特に、封止リブ４２０は、容器本体３００の開口部３１０の内周面に対応する形状を有する。すなわち、封止リブ４２０は、容器本体３００の開口部３１０に形成されている傾斜面３１２と同じ傾斜を有する第１リブ部材４２１と、容器本体３００の開口部３１０と外径が同じである第２リブ部材４２２と、を有する。
【００６７】
封止リブ４２０を有する閉鎖具４００が容器本体３００の周囲に嵌合し固定されると、封止リブ４２０は容器本体３００の開口部３１０の周囲に圧入され、それによって気密性が達成される。
【００６８】
そして、図１０を参照すると、容器内で、所定圧力に等しいかまたはそれを上回る内圧が生成されると、閉鎖具の封止ユニット４１０は、内圧により上方に凸状であるように弾力的に変形し、封止ユニット４１０の下部に形成されている封止リブ４２０が上方に移動し、同時に容器の開口部３１０の壁面から間隔が空けられ、その結果、封止リブ４２０と開口部３１０の壁面との間に間隙が形成され、それにより、容器内の気体を、間隙を通して外側に排出することができる。
【００６９】
容器内の気体が外側に排出された後に容器内の内圧が低下すると、閉鎖具の封止ユニット４１０はその元の状態に戻り、封止リブ４２０は同時に下方に移動し、後に開口部３１０の壁面と密接に接触して、気密性が達成される。
【図１】
2009541157.tif 000003
【図２】
2009541157.tif 000004
【図３】
2009541157.tif 000005
【図４】
2009541157.tif 000006
【図５】
2009541157.tif 000007
【図６】
2009541157.tif 000008
【図７】
2009541157.tif 000009
【図８】
2009541157.tif 000010
【図９】
2009541157.tif 000011
【図１０】
2009541157.tif 000012
【国際調査報告】
2009541157.tif 000013
2009541157.tif 000014